(57)【要約】【課題】ネットワーク巡回型デジタルコンテンツ（以下コンテンツ）取得プログラムが収集するコンテンツに説明を付与する。【解決の手段】取得したコンテンツを解析して文章とリンクに分けて記憶するステップ、前記記憶したリンクによりコンテンツを取得する際に、取得するコンテンツのデータに、前記記憶した文章を、全部または一部、含めるようにするステップ、とを備えることによって課題を解決した。【選択図】図１
2004246836.tif 000002
【特許請求の範囲】
【請求項１】
ネットワーク巡回型デジタルコンテンツ（以下コンテンツ）取得プログラムにおいて、取得したコンテンツを解析して文章とリンクに分けて記憶するステップ、前記記憶したリンクによりコンテンツを取得する際に、取得するコンテンツのデータに、前記記憶した文章を、全部または一部、含めるステップ、とを備えることを特徴とする、説明付きコンテンツ取得プログラム。
【請求項２】
ネットワーク巡回型コンテンツ取得プログラムにおいて、あるキーワードによって検索が行えるサーチエンジンシステムから取得したリンクによりコンテンツを取得するステップ、取得したコンテンツを解析して文章とリンクに分けて記憶するステップ、前記記憶したリンクによりコンテンツを取得する際に、取得するコンテンツのデータに、前記記憶した文章を、全部または一部、含めるステップ、とを備えることを特徴とする、説明付きコンテンツ取得プログラム。
【請求項３】
請求項１および２記載の、前記記憶したリンクによりコンテンツを取得する際に、取得するコンテンツのデータに、前記記憶した文章を、全部または一部、含めるステップにおいて、前記取得するコンテンツのファイル名に前記文章を含めることを特徴とする、説明付きコンテンツ取得プログラム。
【請求項４】
前記記憶したリンクにより取得したコンテンツ及び前記コンテンツに含めた文章を、複数または単数表示するステップを備えることを特徴とする、請求項１〜３記載の説明付きコンテンツ取得プログラム。
【請求項５】
前記記憶したリンクにより取得したコンテンツによってソートを行った上で複数のコンテンツを表示するステップを備えることを特徴とする、請求項４記載の説明付きコンテンツ取得プログラム。
【請求項６】
請求項１〜５記載の説明付きコンテンツ取得プログラムが実行可能なコンピュータハードウェアを備えた説明付きコンテンツ取得システム。
【発明の詳細な説明】
【０００１】
【発明の属する技術分野】本発明は、ファイルに取得元の情報を付与することにより、ユーザーの利便を向上させることができる、説明付きコンテンツ取得システムおよびプログラムに関する。
【０００２】
【従来の技術】従来、ネットワーク巡回型コンテンツ取得プログラムにおいては、取得するコンテンツに対する説明が、リンクに含まれているファイル名のみで、リンク元のコンテンツに含まれる文章は付与されていなかった。
【０００３】また、ＷＥＢページ等のネットワークに大量に存在する情報を、画像または／および、動画ベースで簡単に一覧するシステムやプログラムは無かった。
【０００４】
【発明が解決しようとする課題】本発明はかかる点を鑑みてなされたものであり、ネットワーク巡回型コンテンツ取得プログラムが取得したコンテンツに取得元の情報を付与することにより、ユーザーの利便性を格段に向上させることを目的とする。
【０００５】
【課題を解決するための手段】上記目的を達成するために、ネットワーク巡回型コンテンツ取得プログラムにおいて、取得したコンテンツを解析して文章とリンクに分けて記憶するステップ、前記記憶したリンクによりコンテンツを取得する際に、取得するコンテンツのデータに、前記記憶した文章を、全部または一部、含めるステップ、とを備えるようにした。
【０００６】また、ネットワーク巡回型コンテンツ取得プログラムにおいて、あるキーワードによって検索が行えるサーチエンジンシステムから取得したリンクによりコンテンツを取得するステップ、取得したコンテンツを解析して文章とリンクに分けて記憶するステップ、前記記憶したリンクによりコンテンツを取得する際に、取得するコンテンツのデータに、前記記憶した文章を、全部または一部、含めるステップ、とを備えるようにした。
【０００７】また、取得するコンテンツのデータに、前記記憶した文章を、全部または一部、含めるステップにおいて、前記取得するコンテンツのファイル名に前記文章を含めるようにした。
【０００８】また、前記記憶したリンクにより取得したコンテンツ及び前記コンテンツに含めた文章を、複数または単数表示するステップを備えるようにした。
【０００９】前記記憶したリンクにより取得したコンテンツによってソートを行った上で複数のコンテンツを表示するステップを備えるようにした。
【００１０】また、前記ステップを有するプログラムを実行するコンピュータハードウェアを備えた。
【００１１】
【発明の実施の形態】本発明の実施形態例を以下に示す。
【００１２】図１は、本実施形態の全体概要を示す図である。図１において、プログラム１によって制御されたコンピュータハードウェア２が、サーバ３よりインターネット４を介してコンテンツを取得して、各処理を行う。
【００１３】図２は、本実施形態の処理を示すフローチャートである。
【００１４】まずステップＳ１００では、コンピュータハードウェアを制御し、ＷＥＢサーバよりＨＴＭＬ文書を取得する。
【００１５】ステップＳ１１０では、取得したＨＴＭＬ文書をＵＲＬと文章に分離してそれぞれを記憶装置に記憶する。
【００１６】ステップＳ１２０では、先に取得したＵＲＬに指定されているコンテンツをサーバより取得する。
【００１７】ステップＳ１３０では、前記分離した文章をステップ１２０において取得したコンテンツのファイル名に含める。
【００１８】尚、ステップＳ１２０とＳ１３０は同時に行ってもよい。
【００１９】また、基本はネットワーク巡回型コンテンツ取得プログラムであるから、取得したコンテンツがＨＴＭＬ文章等であり、リンク情報が含まれていればこれを利用してステップＳ１１０に戻り、さらにコンテンツの収集を進める。
【００２０】また、サーチエンジンを利用する場合は、一般的にサーチエンジンが提供するリンク先にあるコンテンツはＨＴＭＬ文書が多いので、このＨＴＭＬ文書を取得して、ＨＴＭＬ文書をＵＲＬと文章に分離してそれぞれを記憶装置に記憶する。
【００２１】その後は、ステップＳ１２０以降の処理を行う。このようにすれば、あるキーワードに関する指向性のあるコンテンツと説明を取得できる。
【００２２】また、取得コンテンツが例えば画像の場合、ファイル名が表示できる画像ビューアプログラムを利用することにより、説明と画像を一緒に閲覧することが可能である。
【００２３】また、図３のような、画像のサムネイル作成機能があり、サムネイル５と説明（ファイル名）６が表示可能な画像ビューアプログラムを利用すれば、大量の画像と説明を簡単に閲覧することも可能である、
【００２４】さらに、画像ビューアにソート（ファイル名、作成日時、種類）等があれば、より系統立てて閲覧することが可能である。
【００２５】
【発明の効果】本発明によれば、コンテンツの由来を知ることが出来るようになり、さらに、ネットワークに存在する大量の情報を、コンテンツベースで閲覧できるので、ユーザーの利便性を格段に向上させることができる。
【図面の簡単な説明】
【図１】本実施形態の全体概要を示す図。
【図２】実施形態の処理を示すフローチャート
【図３】表示画面
【符号の説明】
１−プログラム、２−コンピュータハードウェア、３−サーバ、４−インターネット、５−サムネイル、６−説明（ファイル名）。
【図１】
2004246836.tif 000003
【図２】
2004246836.tif 000004
【図３】
2004246836.tif 000005